(57)【要約】【課題】保護継電器において、波形データの重複利用を防止する。【解決手段】Ａ／Ｄ変換部１５および処理部１７を備える保護継電器１４である。Ａ／Ｄ変換部１５は、系統電気量が入力されるアナログチャンネルを備え、入力された波形データをディジタル変換する。処理部１７は、Ａ／Ｄ変換部１５にリクエスト信号を送信してＡ／Ｄ変換部１５からディジタル変換された波形データを受信し、受信した波形データに基づいてリレー演算を行う。処理部１７は、サンプリング周期ごとに、前回のサンプリング周期において、Ａ／Ｄ変換部１５の全アナログチャンネル数のデータを受信しているか否かを判断し、不一致の場合にリレーロックする。また、処理部１７は、前回のサンプリング周期において、Ａ／Ｄ変換部１５の各チャンネルに対して要求チャンネルと応答チャンネルが一致しているか否かを判断し、不一致の場合にリレーロックする。【選択図】図２
2019176538.tif 000002
【特許請求の範囲】
【請求項１】
電力系統の母線に設けられた計器用変成器の２次電圧または前記母線から分岐する分岐線路に設けられた変流器の２次電流の波形データがそれぞれ入力されるチャンネルを備え、入力された波形データをディジタルデータに変換するＡ／Ｄ変換部と、
前記母線に備えられた遮断器の「入」情報または前記分岐線路と前記母線との間に設けられたラインスイッチ群の「入」、「切」情報が供給されるディジタル入力部と、
前記Ａ／Ｄ変換部の出力情報と、前記ディジタル入力部からの出力情報が供給される共通バスと、
前記Ａ／Ｄ変換部で変換された波形データと前記ディジタル入力部からの出力情報を前記共通バスを介して受信し、受信したデータに基づいて、リレー演算を行う処理部と、を備え、
前記処理部は、
所定のサンプリング周期ごとに、前記Ａ／Ｄ変換部に前記Ａ／Ｄ変換部で変換された波形データを要求するシリアル出力を行う前に、前回のサンプリング周期において、前記Ａ／Ｄ変換部から受信した波形データの数が、前記Ａ／Ｄ変換部のチャンネル数と一致するか否かを判断し、一致しない場合、一定時間リレーロックする、ことを特徴とするディジタル形保護継電器。
【請求項２】
前記処理部は、所定のサンプリング周期ごとに、前記Ａ／Ｄ変換部に前記Ａ／Ｄ変換部で変換された波形データを要求するシリアル出力を行う前に、前回のサンプリング周期において、前記Ａ／Ｄ変換部に要求したチャンネルと、前記Ａ／Ｄ変換部から受信したチャンネルが一致するか否かを、前記Ａ／Ｄ変換部のチャンネルごとに判断し、前記Ａ／Ｄ変換部のチャンネルのいずれかのチャンネルで一致しなかった場合は、一定時間リレーロックする、ことを特徴とする請求項１に記載のディジタル形保護継電器。
【請求項３】
電力系統の母線に設けられた計器用変成器の２次電圧または前記母線から分岐する分岐線路に設けられた変流器の２次電流の波形データがそれぞれ入力されるチャンネルを備え、入力された波形データをディジタルデータに変換するＡ／Ｄ変換部と、前記Ａ／Ｄ変換部で変換された波形データをシリアル通信により受信し、受信した波形データに基づいて、リレー演算を行う処理部と、を備えるディジタル形保護継電器が実行するデータ受信状態の監視方法であって、
所定のサンプリング周期ごとに、前記処理部が、前記Ａ／Ｄ変換部に前記Ａ／Ｄ変換部で変換された波形データを要求するシリアル出力を行う前に、前回のサンプリング周期において、前記Ａ／Ｄ変換部から受信した波形データの数が、前記Ａ／Ｄ変換部のチャンネル数と一致するか否かを判断するステップと、
前記ステップにおいて、前記Ａ／Ｄ変換部から受信した波形データの数が、前記Ａ／Ｄ変換部のチャンネル数と一致しない場合、一定時間リレーロックするステップと、を実行することを特徴とするディジタル形保護継電器におけるデータ受信状態の監視方法。
【請求項４】
所定のサンプリング周期ごとに、前記処理部が、前記Ａ／Ｄ変換部に前記Ａ／Ｄ変換部で変換された波形データを要求するシリアル出力を行う前に、前回のサンプリング周期において、前記Ａ／Ｄ変換部に要求したチャンネルと、前記Ａ／Ｄ変換部から受信したチャンネルが一致するか否かを、前記Ａ／Ｄ変換部のチャンネルごとに判断するステップと、
前記Ａ／Ｄ変換部のチャンネルのいずれかのチャンネルで、前記処理部が前記Ａ／Ｄ変換部に要求したチャンネルと、前記処理部が前記Ａ／Ｄ変換部から受信したチャンネルが一致しなかった場合、一定時間リレーロックするステップと、を実行することを特徴とする請求項３に記載のディジタル形保護継電器におけるデータ受信状態の監視方法。
【発明の詳細な説明】
【技術分野】
【０００１】
本発明は、ディジタル形保護継電器におけるデータ受信状態の監視方法に関する。特に、アナログデータを受信しているディジタル形保護継電器において、アナログデータの受信状態の常時監視方法に関する。
【背景技術】
【０００２】
保護継電器は、電力系統を構成する発電所、変電所または送・配電線路等に発生した短絡故障や地絡故障を計器用変成器を介して検出し、故障区間を選択し電力系統より切り離すよう遮断器等へ制御信号を送出する（例えば、特許文献１）。
【０００３】
図８に示すように、ディジタル形保護継電器２０には、電力系統から導入した電圧、電流などの交流電気量が入力される。入力された交流電気量はアナログ−ディジタル変換部２１（以後、Ａ／Ｄ変換部２１とする）に入力され、Ａ／Ｄ変換部２１で交流アナログ信号がディジタル信号に変換される。そして、このディジタル信号に基づいて、処理部２４でリレー演算が行われる。
【０００４】
具体的に説明すると、Ａ／Ｄ変換部２１は、サンプリングホールド２１ａ（Ｓ／Ｈ）、マルチプレクサ２１ｂ（ＭＰＸ）およびＡ／Ｄ変換器２１ｃを備える。Ａ／Ｄ変換部２１には、電力系統に備えられた計器用変成器の２次電圧（ＶA、ＶB）および分岐線路（例えば、特許文献１の図８に示す分岐線路９ａ〜９ｎ）に流れる電流（１）Ｉ〜（ｎ）Ｉのアナログ情報が入力される。そして、Ａ／Ｄ変換部２１は、入力されたアナログ情報をディジタル情報に変換して共通バス２２に流す。
【０００５】
ディジタル入力部２３には、例えば、特許文献１の図８に示すラインスイッチ３、５やラインスイッチ群６ａ〜６ｎ、７ａ〜７ｎの「入」、「切」情報および母線連絡遮断器４の「入」情報が与えられる。ディジタル入力部２３は、入力されたこれら情報を共通バス２２に流す。共通バス２２に流れた前記両情報は、処理部２４に取り込まれ、ここで計器用変成器の切替処理等が行われ、条件に応じて母線電圧ＶAとＶBのどちらかが選択される。
【０００６】
処理部２４（保護リレー）は、サンプリング間隔ごとに、Ａ／Ｄ変換器２１ｃに波形データを要求するシリアル出力する。処理部２４の要求に応じてＡ／Ｄ変換器２１ｃは、処理部２４に波形データをシリアル出力する。処理部２４は、Ａ／Ｄ変換器２１ｃから受信した波形データとディジタル入力部２３から入力された情報に基づいて、リレー演算を行う。リレー演算の結果は、ディジタル出力部２５に送信され、ディジタル出力部２５は、保護継電器２０の出力情報を送出する。
【先行技術文献】
【特許文献】
【０００７】
【特許文献１】特開平０５−１３７２３２号公報
【特許文献２】特開２０１２−０６３９１３号公報
【発明の概要】
【発明が解決しようとする課題】
【０００８】
従来のディジタル形保護継電器は、Ａ／Ｄ変換器の故障等で処理部がシリアルデータを受信できなくなると、次のサンプリング周期になるまでシリアル通信が停止される。そして、次のサンプリング周期において、再びシリアル通信が開始された際に、波形データが更新されずに前回受信した波形データを使用するおそれがあった。前回受信した波形データを使用することは、ディジタル形保護継電器の誤作動の原因になるおそれがある。
【０００９】
本発明は、上記事情に鑑みてなされたものであり、ディジタル形保護継電器において、波形データの重複利用を防止することを目的とする。
【課題を解決するための手段】
【００１０】
上記目的を達成する本発明のディジタル形保護継電器の一態様は、
電力系統の母線に設けられた計器用変成器の２次電圧または前記母線から分岐する分岐線路に設けられた変流器の２次電流の波形データがそれぞれ入力されるチャンネルを備え、入力された波形データをディジタルデータに変換するＡ／Ｄ変換部と、
前記母線に備えられた遮断器の「入」情報または前記分岐線路と前記母線との間に設けられたラインスイッチ群の「入」、「切」情報が供給されるディジタル入力部と、
前記Ａ／Ｄ変換部の出力情報と、前記ディジタル入力部からの出力情報が供給される共通バスと、
前記Ａ／Ｄ変換部で変換された波形データと前記ディジタル入力部からの出力情報を前記共通バスを介して受信し、受信したデータに基づいて、リレー演算を行う処理部と、を備え、
前記処理部は、
所定のサンプリング周期ごとに、前記Ａ／Ｄ変換部に前記Ａ／Ｄ変換部で変換された波形データを要求するシリアル出力を行う前に、前回のサンプリング周期において、前記Ａ／Ｄ変換部から受信した波形データの数が、前記Ａ／Ｄ変換部のチャンネル数と一致するか否かを判断し、一致しない場合、一定時間リレーロックする、ことを特徴としている。
【００１１】
また、上記目的を達成する本発明のディジタル形保護継電器の他の態様は、上記ディジタル形保護継電器において、
前記処理部は、所定のサンプリング周期ごとに、前記Ａ／Ｄ変換部に前記Ａ／Ｄ変換部で変換された波形データを要求するシリアル出力を行う前に、前回のサンプリング周期において、前記Ａ／Ｄ変換部に要求したチャンネルと、前記Ａ／Ｄ変換部から受信したチャンネルが一致するか否かを、前記Ａ／Ｄ変換部のチャンネルごとに判断し、前記Ａ／Ｄ変換部のチャンネルのいずれかのチャンネルで一致しなかった場合は、一定時間リレーロックする、ことを特徴としている。
【００１２】
また、上記目的を達成する本発明のディジタル形保護継電器におけるデータ受信状態の監視方法の一態様は、
電力系統の母線に設けられた計器用変成器の２次電圧または前記母線から分岐する分岐線路に設けられた変流器の２次電流の波形データがそれぞれ入力されるチャンネルを備え、入力された波形データをディジタルデータに変換するＡ／Ｄ変換部と、前記Ａ／Ｄ変換部で変換された波形データをシリアル通信により受信し、受信した波形データに基づいて、リレー演算を行う処理部と、を備えるディジタル形保護継電器が実行するデータ受信状態の監視方法であって、
所定のサンプリング周期ごとに、前記処理部が、前記Ａ／Ｄ変換部に前記Ａ／Ｄ変換部で変換された波形データを要求するシリアル出力を行う前に、前回のサンプリング周期において、前記Ａ／Ｄ変換部から受信した波形データの数が、前記Ａ／Ｄ変換部のチャンネル数と一致するか否かを判断するステップと、
前記ステップにおいて、前記Ａ／Ｄ変換部から受信した波形データの数が、前記Ａ／Ｄ変換部のチャンネル数と一致しない場合、一定時間リレーロックするステップと、を実行することを特徴としている。
【００１３】
また、上記目的を達成する本発明のディジタル形保護継電器におけるデータ受信状態の監視方法は、上記ディジタル形保護継電器におけるデータ受信状態の監視方法において、
所定のサンプリング周期ごとに、前記処理部が、前記Ａ／Ｄ変換部に前記Ａ／Ｄ変換部で変換された波形データを要求するシリアル出力を行う前に、前回のサンプリング周期において、前記Ａ／Ｄ変換部に要求したチャンネルと、前記Ａ／Ｄ変換部から受信したチャンネルが一致するか否かを、前記Ａ／Ｄ変換部のチャンネルごとに判断するステップと、
前記Ａ／Ｄ変換部のチャンネルのいずれかのチャンネルで、前記処理部が前記Ａ／Ｄ変換部に要求したチャンネルと、前記処理部が前記Ａ／Ｄ変換部から受信したチャンネルが一致しなかった場合、一定時間リレーロックするステップと、を実行することを特徴としている。
【発明の効果】
【００１４】
以上の発明によれば、ディジタル形保護継電器において、波形データの重複利用を防止することができる。
【図面の簡単な説明】
【００１５】
【図１】本発明の実施形態に係るディジタル形保護継電器を説明する説明図である。
【図２】本発明の実施形態に係るディジタル形保護継電器のシステム構成図である。
【図３】シリアルデータのタイムチャートである。
【図４】サンプリング間隔に関するチェックフローである。
【図５】リレーロックに関するフローである。
【図６】シリアル送受信に関するチェックフローである。
【図７】本発明の他の実施形態に係るディジタル形保護継電器のチェックフローであり、（ａ）サンプリング間隔に関するチェックフロー、（ｂ）シリアル送受信に関するチェックフローである。
【図８】従来技術に係るディジタル形保護継電器のシステム構成図である。
【発明を実施するための形態】
【００１６】
本発明の実施形態に係るディジタル形保護継電器およびディジタル形保護継電器におけるデータ受信状態の監視方法について、図面に基づいて詳細に説明する。
【００１７】
図１は、本発明の実施形態に係るディジタル形保護継電器１４（以後、保護継電器１４とする）を説明する説明図である。
【００１８】
母線１、２は、ラインスイッチ３、５と母線連絡遮断器４により接続される。また、母線１、２間には、直列接続されたラインスイッチ群６ａ〜６ｎと７ａ〜７ｎが接続される。ラインスイッチ群６ａ〜６ｎと７ａ〜７ｎの共通接続点８ａ〜８ｎには、遮断器１０ａ〜１０ｎと変流器１１ａ〜１１ｎが設けられる。
【００１９】
母線１、２には、それぞれ計器用変成器１２、１３が設けられ、計器用変成器１２、１３の２次電圧（ＶA、ＶB）が保護継電器１４に入力される。また、保護継電器１４には、ラインスイッチ群６ａ〜６ｎと７ａ〜７ｎの「入」、「切」情報が入力される。保護継電器１４は、入力された２次電圧（ＶA、ＶB）と、ラインスイッチ群６ａ〜６ｎと７ａ〜７ｎの「入」、「切」情報に基づいて、分岐線路９ａ〜９ｎの継電器（図示せず）の動作情報Ｖa〜Ｖnを出力する。
【００２０】
図２は、本発明の実施形態に係る保護継電器１４のシステム構成図である。保護継電器１４は、アナログ−ディジタル変換部１５（以後、Ａ／Ｄ変換部１５とする）、ディジタル入力部１６、処理部１７およびディジタル出力部１８を備える。
【００２１】
Ａ／Ｄ変換部１５には、系統に備えられた変成器ＰＴ（例えば、図１に記載した計器用変成器１２、１３）や変流器ＣＴ（例えば、図１に記載した変流器１１ａ〜１１ｎ）から系統電気量（ＶA、ＶB、（１）Ｉ、・・・、（ｎ）Ｉ）が入力される。
【００２２】
Ａ／Ｄ変換部１５には、Ａ／Ｄ変換器１５ａが備えられており、このＡ／Ｄ変換器１５ａによって、入力された系統電気量は、アナログ波形データからディジタル化された波形データに変換される。そして、Ａ／Ｄ変換部１５は、変換された波形データを共通バス１９に流す。なお、図示省略しているが、Ａ／Ｄ変換部１５は、従来と同様にサンプリングホールド（ＳＨ）回路やマルチプレクサ（ＭＰＸ）回路を備えている。
【００２３】
ディジタル入力部１６には、ラインスイッチ（例えば、図１に示した、ラインスイッチ群６ａ〜６ｎ、７ａ〜７ｎやラインスイッチ３、５）の「入」、「切」情報や母線連絡遮断器（例えば、図１に示した、母線連絡遮断器４）の「入」情報が入力される。ディジタル入力部１６は、入力されたこれら情報を共通バス１９に流す。
【００２４】
共通バス１９に流れた、これらの情報は、処理部１７に取り込まれて、ここで計器用変成器１２、１３の切替処理等が行われ、条件に応じて母線電圧ＶAとＶBのどちらかが選択される。
【００２５】
処理部１７は、図示省略の、演算処理を行うＣＰＵ（演算装置）、プログラム等を記憶する記憶部（フラッシュＲＯＭ等）およびＣＰＵの作業領域となるメモリを有する。例えば、ＣＰＵが記憶部に格納されたプログラムを実行して、後に詳細に説明する図４〜７に示した各ステップが実行される。すなわち、ＣＰＵと記憶部に格納したプログラムとの協働動作によって、処理部１７における、シリアル通信のデータ受信状態の監視方法の各ステップが、具現化される。
【００２６】
処理部１７は、保護継電器演算処理部１７ａ、計器用切替処理部１７ｂを備え、保護継電器１４の演算処理（リレー演算）や、計器用変成器１２、１３の切替処理が行われる。具体的に説明すると、処理部１７では、Ａ／Ｄ変換部１５およびディジタル入力部１６から入力されたデータに基づいて、保護継電器の通常のリレー演算が行われ、各継電器の出力情報の演算が行われる。すなわち、所定のサンプリング周期ごとに、処理部１７からＡ／Ｄ変換部１５に波形データ情報を求めるリクエスト信号が送信され、このリクエスト信号にしたがって、Ａ／Ｄ変換部１５がディジタル化された波形データ情報を処理部１７に送信する。処理部１７は、ディジタル化された波形データにおいて誤差要因となる高周波成分を除去した後、これら波形データ情報に基づいてリレー演算（波形データの振幅値演算、位相差演算および位相演算等に基づくリレー動作判定演算）を行う。
【００２７】
ディジタル出力部１８は、処理部１７で処理された継電器（図示せず）の出力情報を送信する。
【００２８】
次に、Ａ／Ｄ変換部１５と処理部１７の波形データの送受信について説明する。なお、波形データの送受信の説明では、ディジタル化された波形データが８チャンネルの場合を例示して説明する。チャンネルの数は、機器の種類に応じて任意に設定可能である。
【００２９】
図３に示すように、所定のサンプリング周期（アナログ入力ＳＰ間隔）ごとに、処理部１７がＡ／Ｄ変換部１５に、先頭チャンネルから順に波形データを要求するシリアル出力を行う。
【００３０】
Ａ／Ｄ変換部１５は、処理部１７からのシリアル出力を受信した後、処理部１７からのリクエストにしたがって、要求されたチャンネルの波形データ情報（Ａ／Ｄ変換器１５ａによってディジタル処理された波形データ）を処理部１７に送信する。
【００３１】
処理部１７は、Ａ／Ｄ変換部１５から波形データを受信し、次のチャンネルの波形データを要求するシリアル出力を行う。処理部１７が、８チャンネル目を受信すると、波形データの送受信が終了する。
【００３２】
なお、途中で、処理部１７においてシリアルデータが受信できなくなると、シリアル通信は中断し、次回のサンプリング周期になったときは、先頭チャンネルから、波形データの送受信が再開される。
【００３３】
図４に、サンプリング間隔（ＳＰ間隔）に関するチェックフローを示す。
【００３４】
サンプリング周期（ＳＰ間隔）ごとに、前回のシリアル送受信において全アナログチャンネル数分のデータを受信しているかをシリアル受信（応答）回数でチェックし、一致していなければＮＧとする。具体的には、受信カウンタとアナログチャンネル数を比較し、両者が一致していなければＮＧとし、両者が一致した場合は、ＮＧをクリアにする。ＮＧがセットされた場合は、一定時間リレーがロックされる。なお、リレーロックした際に、処理部１７が、波形データの送受信状態が異常であることを警報装置等に出力させる出力信号を送信し、受信ＮＧ状態が継続していることを継続監視することができる。また、ＮＧがクリアされた場合は、警報装置等の警報を停止させる出力信号が処理部１７から送信される。
【００３５】
また、前回のシリアル送受信において要求チャンネルとその応答チャンネルのチェック結果に不一致があった場合もＮＧをセットし、両者が一致した場合はＮＧをクリアにする。ＮＧがセットされた場合は、一定時間リレーがロックされる。リレーロックした際に、処理部１７が、波形データの送受信状態が異常であることを警報装置等に出力させる出力信号を送信し、受信ＮＧ状態が継続していることを継続監視することができる。また、ＮＧがクリアされた場合は、警報装置等の警報を停止させる出力信号が処理部１７から送信される。
【００３６】
そして、処理部１７は、受信カウンタをクリアし、先頭チャンネル要求をＡ／Ｄ変換部１５にシリアル出力する。Ａ／Ｄ変換部１５は、要求されたチャンネルとそのチャンネルに入力されたアナログデータをディジタル変換した波形データを処理部１７にシリアル出力する。
【００３７】
図５に、リレーロックに関するフローを示す。このフローに基づいて、図４のフローにおいてＮＧがセットされた場合のリレーロックについて説明する。
【００３８】
アナログ受信ＮＧ（図４のフローにおいてＮＧがセット）があれば、リレーロック用カウンタにロックする時間（Ｔ1）をセットし、リレーロック用カウンタが０の場合はリレーロックをオフ、カウンタが０でなければ１カウントダウンおよびリレーフラグをオンする。リレーは、Ａ／Ｄ変換部１５から受信した波形データに基づいて、リレー演算する。そして、リレーロックフラグがオンの場合は、リレーをクリアする。
【００３９】
図６に、シリアル送受信に関するチェックフローを示す。
【００４０】
シリアル受信時は、受信カウンタをアップする。また、要求チャンネルと応答チャンネルの一致を確認し、不一致の場合に要求チャンネルごとの受信ＮＧフラグをセットし、一致の場合はクリアを行い、最終要求チャンネルに至るまで次チャンネルを順次シリアル出力（要求）する。受信ＮＧフラグがセットされた場合、図４のフローにおけるＮＧがセットされる。図４のフローでＮＧがセットされると、図５に示すフローにしたがって、一定時間リレーロックされる。これにより、シリアル受信状態がＮＧであることによる、保護継電器１４の誤作動が防止される。
【００４１】
以上のような、本発明の実施形態に係るディジタル形保護継電器１４およびディジタル形保護継電器１４におけるデータ受信状態の監視方法によれば、ディジタル化された波形データの受信状態を監視し、波形データの重複利用を防止することができる。
【００４２】
具体的には、サンプリング周期ごとに、処理部１７が、前回のサンプリング周期で受信した波形データの数（受信カウンタ）がＡ／Ｄ変換部１５のチャンネル数と一致するか判断する。そして、受信カウンタとアナログチャンネル数が一致しない場合に、シリアル通信が停止状態にあったことを検出する。また、サンプリング周期ごとに、処理部１７が、前回のサンプリング周期で要求したチャンネルと、Ａ／Ｄ変換部１５から受信した応答チャンネルが一致するかをチャンネルごとに判断する。そして、要求チャンネルと応答チャンネルが不一致の場合に、送受信タイミングのずれや取りこぼしがあったことを検出する。これにより、送受信状態がＮＧのときに、一定時間リレーロックしたり、警報を出力させたりして、保護継電器１４の誤作動を防止したり、データ受信状態のＮＧが継続していることを常時監視したりすることができる。
【００４３】
その結果、何らかの理由でシリアル通信が停止されたときに、次のサンプリング周期において前回受信した波形を重複利用することが防止され、信頼性に優れたディジタル形保護継電器を提供することができる。
【００４４】
また、本発明の実施形態に係るディジタル形保護継電器１４は、ソフトウェアでデータの送受信状態を監視するため、ＣＰＵへの負担は小さく、また監視するための新たなハードウェア（機器や部品）が不要となる。
【００４５】
以上、具体的な実施形態を示して本発明のディジタル形保護継電器およびディジタル形保護継電器におけるデータ受信状態の監視方法について説明したが、本発明のディジタル形保護継電器およびディジタル形保護継電器におけるデータ受信状態の監視方法は、実施形態に限定されるものではなく、その特徴を損なわない範囲で適宜設計変更が可能であり、設計変更されたものも、本発明の技術的範囲に属する。
【００４６】
例えば、本発明のディジタル形保護継電器は、実施形態の用途に用いられることに限定されるものではなく、電力系統を構成する発電所、変電所または送・配電線路等に適用することができる。
【００４７】
また、本発明に係るディジタル形保護継電器１４における処理部１７の処理の一部を行う、ディジタル形保護継電器も本発明の技術的範囲に属し、ディジタル形保護継電器１４の効果の一部を奏することができる。例えば、図７に示すような、所定のサンプリング周期（ＳＰ間隔）ごとに、前回のシリアル送受信において全アナログチャンネル数分のデータを受信しているかをシリアル受信（応答）回数でチェック（受信カウンタとアナログチャンネル数を比較）する態様も、本発明のディジタル形保護継電器の技術的範囲に属する。
【符号の説明】
【００４８】
１、２…母線
３、５…ラインスイッチ
４…母線連絡遮断器
６ａ〜６ｎ、７ａ〜７ｎ…ラインスイッチ群
８ａ〜８ｎ…共通接点
９ａ〜９ｎ…分岐線路
１０ａ〜１０ｎ…遮断器
１１ａ〜１１ｎ…変流器
１２、１３…計器用変成器
１４…保護継電器（ディジタル形保護継電器）
１５…Ａ／Ｄ変換部、１５ａ…Ａ／Ｄ変換器
１６…ディジタル入力部
１７…処理部、１７ａ…保護継電器演算処理部、１７ｂ…計器用切替処理部
１８…ディジタル出力部
１９…共通バス
【図１】
2019176538.tif 000003
【図２】
2019176538.tif 000004
【図３】
2019176538.tif 000005
【図４】
2019176538.tif 000006
【図５】
2019176538.tif 000007
【図６】
2019176538.tif 000008
【図７】
2019176538.tif 000009
【図８】
2019176538.tif 000010